(57)【特許請求の範囲】
【請求項１】
磁化の向きが異なる磁区列を各磁化のエッジ位置がデータと対応するよう形成した光磁気ディスクを再生し、再生信号から該各磁区のエッジ位置を検出してデータを再生する光磁気ディスクの再生方式において、
該再生信号から各磁区の前縁，後縁夫々のエッジ検出を行なうエッジ検出手段と、
該後縁のエッジ検出信号と前縁のエッジ検出信号との時間差を、データのビット周期当たりｎ＋１パルスのカウンタクロックを用いてカウントするｎ＋１進のカウント手段と、
該前縁のエッジ検出信号を該カウント手段のカウント値に応じて移相し該前縁のエッジ検出信号を該後縁のエッジ検出信号に同期させる移相手段と、
該後縁のエッジ検出信号と移相された前縁のエッジ検出信号とを合成する合成手段と、
該合成された合成信号よりクロック及びデータを抽出する抽出手段とを有し、
記録データパターンの磁区を記録する期間に対して再生信号の磁区に対応した期間が長い場合に該前縁のエッジ検出信号を該後縁のエッジ検出信号に同期させることを特徴とする光磁気ディスクの再生方式。
【請求項２】
該移相手段は、
前記前縁のエッジ検出信号を前記カウンタクロック単位で異なる複数の遅延量で遅延する遅延手段と、
前記カウント手段のカウント値に応じて、該遅延手段で遅延された遅延量の異なる複数の前縁のエッジ検出信号のいずれか一を選択する選択手段とよりなることを特徴とする請求項１記載の光磁気ディスクの再生方式。
【発明の詳細な説明】
【０００１】
【産業上の利用分野】
本発明は、光磁気ディスクの再生方式に関する。
【０００２】
光磁気記録再生装置は、大容量，可換性，高信頼性等により、イメージ情報の記録再生からコンピュータ用のコード記録可能なものまで市場が急速に拡がっている分野である。
【０００３】
【従来の技術】
光磁気ディスク記録再生の基本原理を図４，図５，図６に示す。記録の際には、まず図４（Ａ）に示す如く光磁気ディスク媒体１０に磁石１１の外部磁界を印加し書き換えたい部分に消去ビーム１２を照射して加熱し既記録部分の磁化の向きを一方向に揃えた後、図４（Ｂ）に示す如く磁石１１の外部磁界の向きを逆にして、図５（Ａ）に示す如き記録したいデータに応じて図５（Ｂ）に示す記録光ビーム１３を照射して選択的に加熱し、磁化の向きの異なる磁区（ドメイン）列を磁区のエッジの位置間隔が図５（Ｃ）に示す如く記録データと対応するように形成する。そして、再生時には図６（Ａ）に示す如く再生光スポットで記録ドメインを走査して、図６（Ｂ）の再生波形からエッジの位置間隔を検出し、図６（Ｃ）に示す記録データを再生する。
【０００４】
このような光磁気ディスクの再生方式としては従来より特開昭６３−５３７２２号，特開昭６１−２１４２７８号に記載のものがある。
【０００５】
図７は従来の再生方式の一例のブロック図を示す。同図中、光学ヘッド２０で再生した再生信号はエッジ検出回路２１に供給され、ここで記録磁区（ドメイン）の前縁，後縁夫々を検出される。前縁，後縁夫々のエッジ検出信号はフェーズ・ロックド・ループ（ＰＬＬ）２２ａ，２２ｂ夫々に供給され、ここで各エッジ検出信号に同期したクロックが生成される。
【０００６】
データセパレータ２３ａ，２３ｂ夫々は前縁，後縁夫々のエッジ検出信号から上記ＰＬＬ２２ａ，２２ｂよりのクロック夫々を用いてデータを分離しバッファ２４ａ，２４ｂ夫々に書込む。バッファ２４ａ，２４ｂ夫々に書込まれたデータは互いに同期して読出され、合成回路２５で合成される。こうして再生されたデータは走長制限符号（ＲＬＬＣ）であるため、復調回路２６でＮＲＺ（ノン・リターン・ゼロ）符号の信号に復調して端子２７より出力する。
【０００７】
【発明が解決しようとする課題】
記録に際しては、記録光ビームにより選択的に加熱して記録磁区を形成する熱磁気書込みである。従って、まず、環境温度が変化すると同一パワーで記録光ビームを照射しても温度分布は同一にならず形成される磁区の大きさが変化しエッジの位置間隔が変化して正しい記録ができない。例えばライトパワーつまり温度に応じて記録ドメイン長は図８の実線Ｉに示す如く大きく変化する。また、光磁気ディスク媒体の媒体内での感度バラツキあるいは媒体間での感度バラツキにより、温度分布が同一であっても形成される磁区の大きさにバラツキが生じる。更に、形成される磁区は図５（Ｃ）に示す如く涙滴形状と呼ばれる形状をしており前縁の形状と後縁の形状とで検出位置にずれが生じる。
【０００８】
ところが、隣接する磁区の前縁のエッジ間距離又は後縁のエッジ間距離夫々は図８に実線ＩＩに示す如くライトパワーの変化によらず略一定であり、媒体内の感度バラツキ及び、磁区の前縁と後縁の形状の違いによる検出位置ずれがあっても、図７の回路の如く前縁，後縁夫々のエッジを別々に検出して得たデータを同期を取って合成することにより、上記環境温度の変化，媒体間のバラツキ，磁区前後縁形状の相違夫々の影響を受けない再生が可能である。
【０００９】
しかし、図７の従来回路はＰＬＬ２２ａ，２２ｂ，データセパレータ２３ａ，２３ｂ，バッファ２４ａ，２４ｂを前縁，後縁夫々について２系統必要であるため、回路規模が大きくなるという問題があった。
【００１０】
本発明は上記の点に鑑みなされたもので、環境温度の変化，媒体間のバラツキ，磁区前後縁形状の相違夫々の影響を受けない再生を行ない、かつ回路規模が小さくて済む光磁気ディスクの再生方式を提供することを目的とする。
【００１１】
【課題を解決するための手段】
本発明の光磁気ディスクの再生方式は、磁化の向きが異なる磁区列を各磁区のエッジ位置がデータと対応するよう形成した光磁気ディスクを再生し、再生信号から該各磁区のエッジ位置を検出してデータを再生する光磁気ディスクの再生方式において、
再生信号から各磁区の前縁，後縁夫々のエッジ検出を行なうエッジ検出手段と、
該後縁のエッジ検出信号と前縁のエッジ検出信号との時間差を、データのビット周期当たりｎ＋１パルスのカウンタクロックを用いてカウントするｎ＋１進のカウント手段と、
前縁のエッジ検出信号を該カウント手段のカウント値に応じて移相し前縁のエッジ検出信号を後縁のエッジ検出信号に同期させる移相手段と、
後縁のエッジ検出信号と移相された前縁のエッジ検出信号とを合成する合成手段と、
合成された合成信号よりクロック及びデータを抽出する抽出手段とを有し、
記録データパターンの磁区を記録する期間に対して再生信号の磁区に対応した期間が長い場合に該前縁のエッジ検出信号を該後縁のエッジ検出信号に同期させる。
【００１２】
【作用】
本発明においては、前縁のエッジ検出信号を移相することにより前縁のエッジ検出信号と後縁とエッジ検出信号の同期をとり、この同期のとれた前縁，後縁とのエッジ検出信号を合成して、この合成信号からクロック及びデータを抽出するため、環境温度の変化，媒体間のバラツキ，磁区前後縁形状の相違等の影響による前縁と後縁とのエッジ検出信号の位相ずれをなくすことができ、上記の影響を受けない再生を行なうことができ、また抽出手段が単一で済み、回路規模が小さくて済む。
【００１３】
【実施例】
図１は本発明の方式の一実施例のブロック図を示す。
【００１４】
同図中、光学ヘッド３０で光磁気ディスク媒体より再生した再生信号はエッジ検出回路３１に供給される。ところで、図２（Ａ）に示す如き、記録データから図２（Ｂ）に示す記録光ビームの発光を行なって媒体への書込みを行なったものとする。これを再生する際には、環境温度の変化，媒体間のバラツキ，磁区前後縁形状の相違の影響によって光学ヘッド３０の出力する再生信号は図２（Ｃ）に示す如く記録光ビームの発光パターンとは立上がり又は立下がりの位相が多少ずれている。
エッジ検出回路３１は再生信号の立上がり，立下がりつまり記録磁区の前縁，後縁夫々のエッジ検出を行ない、図２（Ｅ）に示す前縁のエッジ検出信号をディレイライン３２及びラッチ回路３３に供給し、図２（Ｄ）に示す後縁のエッジ検出信号をラッチ回路３３，カンウタ３４，合成回路３５夫々に供給する。
【００１５】
カウンタ３４はｎ＋１（ｎは自然数）進のカウンタであり、後述のＰＬＬ３６より図２（Ａ）に示すデータのビット周期当りｎ＋１のパルスのカウントクロックを供給されており、後縁のエッジ検出信号の立下がり時にリセットされた後、カウントクロックによってカウントアップし、そのカウント値をラッチ回路３３に供給する。ラッチ回路３３は後縁のエッジ検出信号の立下がり時にリセットされ、前縁のエッジ検出信号の立上がり時にカウンタ３４よりのカウント値をラッチしてマルチプレクサ３７に供給する。
ここで、カウンタ３４はｎ＋１進であるため、ラッチ回路３３にラッチされるカウント値は最大ｎ＋１であり、後縁のエッジ検出信号の立下がりから前縁のエッジ検出信号の立上がりまでの期間が（データのビット周期）×Ｍ＋ｊである場合、上記カウント値はｊとなる。但し、Ｍは自然数、ｊはｎ＋１以下の自然数である。
【００１６】
ディレイライン３２は図３（Ａ）に示す如く端子４１より入来する前縁のエッジ検出信号を供給されて、これをカウンタクロック同期の整数倍だけ遅延して出力する。ディレイライン３２の端子ｄ０  からは図３（Ｂ）に示す如くカウンタクロックのｎ＋１周期分遅延した信号が出力され、端子ｄｎ  からはカウンタクロックの１周期分遅延した信号が出力され、端子ｄ１  〜ｄｎ−１  間の端子ｄｉ  （ｉは１からｎ−１までの整数）からはカウンタクロックのｎ＋１−ｉ周期分遅延した信号が出力される。この端子ｄ０  〜ｄｎ  夫々より出力される遅延された前縁のエッジ検出信号はマルチプレクサ３７の端子ｄ０  〜ｄｎ  夫々に供給され、マルチプレクサ３７は図３（Ｂ）に示す如くラッチ回路３３より端子４２を通して供給されるカウント値ｉで指示される端子ｄｉ  を選択して端子４３より合成回路３５に供給する。
【００１７】
つまり、図２（Ｅ）に示す前縁のエッジ検出信号を図２（Ｆ）に示す如く時間ｄｔだけ遅延することにより、図２（Ｆ）の前縁のエッジ検出信号を図２（Ｄ）の後縁のエッジ検出信号に対して同期させている。
【００１８】
合成回路３５は図２（Ｆ）の信号の立上がりで立上がり、図２（Ｄ）の信号の立下がりで立下がる図２（Ｇ）に示す合成信号つまり再生信号（図２（Ｃ））の立上がりをその立下がりに対して補正した信号を生成して、これをＰＬＬ３６及びデータセパレータ３８に供給する。
【００１９】
ＰＬＬは合成信号の立上がり及び立下がりに同期したクロック（カウントクロックはこのクロックを分周したものである）を生成してデータセパレータ３８に供給し、データセパレータ３８は合成信号から上記クロックを用いてデータを分離し、分離したデータをクロックと共に復調回路３９に供給する。復調回路３９は走長制限符号である分離したデータからＮＲＺ符号の信号に復調して端子４０より出力する。
【００２０】
このようにディレイライン３２，マルチプレクサ３７による遅延で移相され同期のとれた前縁，後縁とのエッジ検出信号を合成して、この合成信号からクロック及びデータを抽出するため、環境温度の変化，媒体間のバラツキ，磁区前後縁形状の相違等の影響による前縁と後縁とのエッジ検出信号の位相ずれをなくすことができ、上記の影響を受けない再生を行なうことができ、またＰＬＬ３６，データセパレータ３８が単一で済み、回路規模が小さくて済む。
【００２１】
【発明の効果】
上述の如く、本発明の光磁気ディスクの再生方式によれば、環境温度の変化，媒体間のバラツキ、磁区前後縁形状の相違夫々の影響を受けない再生を行ない、かつ回路規模が小さくて済み、実用上きわめて有用である。
【図面の簡単な説明】
【図１】本発明方式の一実施例のブロック図である。
【図２】本発明方式の信号のタイミングチャートである。
【図３】ディレイライン及びマルチプレクサの構成と、信号遅延量とカウント値との関係を示す図である。
【図４】光磁気ディスクの記録再生原理を示す図である。
【図５】光磁気ディスクの記録再生原理を示す図である。
【図６】光磁気ディスクの記録再生原理を示す図である。
【図７】従来方式の一例のブロック図である。
【図８】ライトパワーと、ドメイン長及びエッジ間距離の関係を示す図である。
【符号の説明】
３１  エッジ検出回路
３２  ディレイライン
３３  ラッチ回路
３４  カウンタ
３５  合成回路
３６  ＰＬＬ
３７  マルチプレクサ
３８  データセパレータ
【図１】
0003556233.tif 000002
【図２】
0003556233.tif 000003
【図３】
0003556233.tif 000004
【図４】
0003556233.tif 000005
【図５】
0003556233.tif 000006
【図６】
0003556233.tif 000007
【図７】
0003556233.tif 000008
【図８】
0003556233.tif 000009